(57)【要約】【解決手段】パレット部Ｐとボックス部Ｂとから構成されており、パレット部の一方の相対する辺部には、一方の相対する側壁１がヒンジ連結されているとともに、パレット部のもう一方の相対する辺部には、もう一方の相対する側壁２がヒンジ連結されているボックスパレットＢｐにおいて、ボックスパレットが箱型に組み立てられた状態において、側壁１、２の仮想垂直外壁面Ｆ２、Ｆ３が、パレット部の外側垂直壁Ｆ１より、所定量だけ引っ込んだ位置にあるように構成したものである。【効果】ボックスパレットに収納された物品の重量により、側壁が、外側に膨出していたとしても、側壁が、パレット部の外側垂直壁を超えて、外側に突出するようなことがないので、パレット部に較べて、強度的に弱い側壁が、他の箱型に組み立てられたボックスパレットや他の物体に当接し、側壁が損傷するようなことを防止することができる。【選択図】図９
2008114911.tif 000002
【特許請求の範囲】
【請求項１】
パレット部とボックス部とから構成されており、パレット部の一方の相対する辺部には、一方の相対する側壁がヒンジ連結されているとともに、パレット部のもう一方の相対する辺部には、もう一方の相対する側壁がヒンジ連結されているボックスパレットにおいて、ボックスパレットが箱型に組み立てられた状態において、側壁の仮想垂直外壁面が、パレット部の外側垂直壁より、所定量だけ引っ込んだ位置にあるように構成されていることを特徴とするボックスパレット。
【請求項２】
側壁の仮想垂直外壁面より突出しているパレット部の水平天板に、傾斜面が形成されていることを特徴とする請求項１に記載のボックスパレット。
【発明の詳細な説明】
【技術分野】
【０００１】
本発明は、パレットの上面を囲むように、４つの側壁が形成されているとともに、各側壁が、パレットの上に重なるように折り畳むことが可能な、所謂、折り畳み可能なボックスパレットに関するものである。
【背景技術】
【０００２】
従来、パレット部とボックス部とから構成されており、パレット部の一方の相対する辺部には、一方の相対する側壁がヒンジ連結されているとともに、パレット部のもう一方の相対する辺部には、もう一方の相対する側壁がヒンジ連結されており、また、パレット部にはフォーク差し込み口が形成されているボックスパレットが、一例として、特許文献１に記載されている。
【０００３】
上述した従来のボックスパレットにおいては、パレット部の辺部と側壁とをヒンジ連結するために、パレット部の辺部には、雌ヒンジ部が形成されているとともに、側壁の下部には、雄ヒンジ部が形成されており、パレット部側の雌ヒンジ部と側壁側の雄ヒンジ部を連結することにより、パレット部の辺部と側壁とがヒンジ連結されるように構成されている。
【０００４】
【特許文献１】特公平６−３３０８６号公報
【発明の開示】
【発明が解決しようとする課題】
【０００５】
上述した従来のボックスパレットにおいては、箱型に組み立てられた状態において、パレット部の垂直な外側面と側壁の垂直な外面とが、略面一であるので、ボックスパレットに収納された物品の重量により、側壁が、パレット部の垂直な外側面を越えて外側に膨出した場合に、この外側に膨出した側壁部分が、他の箱型に組み立てられたボックスパレットや他の物体に当接し、側壁が損傷するという問題があった。
【０００６】
また、側壁が、パレット部の垂直な外側面を越えて外側に膨出していると、箱型に組み立てられたボックスパレットを、側壁が対向するように並設した際に、隣接するボックスパレットのパレット部が当接することなく、外側に膨出した側壁部分が当接することになり、従って、隣接する側壁間に間隙が形成されることになり、箱型に組み立てられたボックスパレットの収容効率が悪くなるという問題があった。
【０００７】
本発明の目的は、上述した従来のボックスパレットが有する課題を解決することにある。
【課題を解決するための手段】
【０００８】
本発明は、上述した目的を達成するために、パレット部とボックス部とから構成されており、パレット部の一方の相対する辺部には、一方の相対する側壁がヒンジ連結されているとともに、パレット部のもう一方の相対する辺部には、もう一方の相対する側壁がヒンジ連結されているボックスパレットにおいて、第１には、ボックスパレットが箱型に組み立てられた状態において、側壁の仮想垂直外壁面が、パレット部の外側垂直壁より、所定量だけ引っ込んだ位置にあるように構成したものであり、第２には、側壁の仮想垂直外壁面より突出しているパレット部の水平天板に傾斜面を形成したものである。
【発明の効果】
【０００９】
ボックスパレットが箱型に組み立てられた状態において、側壁の仮想垂直外壁面が、パレット部の外側垂直壁より、所定量だけ引っ込んだ位置にあるように構成したので、ボックスパレットに収納された物品の重量により、側壁が、外側に膨出していたとしても、側壁が、パレット部の外側垂直壁を超えて、外側に突出するようなことがないので、パレット部に較べて、強度的に弱い側壁が、他の箱型に組み立てられたボックスパレットや他の物体に当接し、側壁が損傷するようなことを防止することができる。
【００１０】
側壁の仮想垂直外壁面より突出しているパレット部の水平天板に傾斜面を形成したので、パレット部の水平天板全体が、水平面として形成されている従来のボックスパレットに較べて、パレット部の水平天板に溜まる塵埃等を減少することができる。
【実施例】
【００１１】
先ず最初に、図１及び図２を用いて、本発明のボックスパレットの全体構成について説明する。
【００１２】
ボックスパレットＢｐは、パレット部Ｐとボックス部Ｂとから構成されている。
【００１３】
ボックス部Ｂは、パレット部Ｐの一方の相対する辺部に、後述するヒンジ部材を介してヒンジ連結されている一方の相対する側壁（詳細についは後述する。）１と、パレット部Ｐのもう一方の相対する辺部に、後述するヒンジ部材を介してヒンジ連結されているもう一方の相対する側壁（詳細についは後述する。）２とを有している。なお、以下においては、図１に示されている箱型に組み立てられた状態から、最初に、略垂直状態から略水平に倒される側壁１を、先行傾倒側壁と称し、また、先行傾倒側壁１に次いで、略垂直状態から略水平に倒される側壁２を、後行傾倒側壁２と称する。
【００１４】
パレット部Ｐは、上部デッキ３と下部デッキ４とを有し、上部デッキ３の角部と下部デッキ４の角部は、隅桁５により連結されており、また、隅桁５間に位置する上部デッキ３と下部デッキ４とは、中間桁６により連結されており、更に、上部デッキ３と下部デッキ４の中央部は、図示されていない中央桁により連結されている。また、パレット部Ｐの各側部には、フォーク差し込み口７が形成されている。
【００１５】
次に、図３〜図１１を用いて、パレット部Ｐの詳細について説明する。
【００１６】
上部デッキ３は、平面形状が略方形状の底部３ａと、底部３ａの周辺部に沿って立設された額縁状土手部材３ｂとを有している。額縁状土手部材３ｂは、隅桁５の外壁５ａ及び中間桁６の外壁６ａと略面一な外側垂直壁３ｂ１と、外側垂直壁３ｂ１の上端から、底部３ａ方向に延在する水平天板３ｂ２と、水平天板３ｂ２の先端から、外側垂直壁３ｂ１に略平行に下方に延在し、且つ、底部３ａの縁部３ａ１に連結された内側垂直壁３ｂ３とから形成されており、額縁状土手部材３ｂは、額縁状土手部材３ｂの長手方向と直交する断面形状が、略逆Ｕ字状に形成されている。
【００１７】
略逆Ｕ字状の額縁状土手部材３ｂの一方の相対する土手部３ｂ’の所定部分の内側垂直壁３ｂ３を、外側垂直壁３ｂ１方向に膨出させることにより、一方の相対する土手部３ｂ’には、図４に示されているように、奥板ｃ１と相対する側板ｃ２と底板ｃ３とからなる、上方と底部３ａ側が開放された嵌合凹部Ｃ１が形成されている。このような嵌合凹部Ｃ１は、一方の相対する土手部３ｂ’に、１個或いは２個以上形成されている。本実施例には、一方の相対する土手部３ｂ’の中央部領域に２個の嵌合用凹部Ｃ１が形成されている例が示されている。なお、額縁状土手部材３ｂの一方の相対する土手部３ｂ’には、後述する先行傾倒側壁１がヒンジ連結するように構成されているので、以下においては、一方の相対する土手部３ｂ’を、先行傾倒側壁用土手部３ｂ’と称する。
【００１８】
図５及び図６に示されているように、先行傾倒側壁用土手部３ｂ’の両端部付近に位置する内側垂直壁３ｂ３を、外側垂直壁３ｂ１方向に膨出させることにより、先行傾倒側壁用土手部３ｂ’の両端部付近には、奥板ｈ１と相対する側板ｈ２と底板ｈ３とからなる、上方と底部３ａ側が開放された雌ヒンジ用凹部Ｈ１が形成されている。また、雌ヒンジ用凹部Ｈ１を構成する相対する側板ｈ２のうち、もう一方の相対する土手部３ｂ”側に位置する側壁ｈ２には、水平天板３ｂ２から底板ｈ３まで、或いは、水平天板３ｂ２から底板ｈ３付近まで延在する縦長の縦スリットｈ４が形成されており、このような縦スリットｈ４は、もう一方の相対する土手部３ｂ”側に位置する側壁ｈ２の全部を削除することにより形成することもできるが、奥板ｈ１側の一部或いは／及び内側垂直壁３ｂ３を側の一部を残すことにより、縦スリットｈ４の相対する垂直部或いは一方の垂直部に、厚肉垂直リブｈ４ａを形成することが好ましい。このような厚肉垂直リブｈ４ａを形成することにより、雌ヒンジ用凹部Ｈ１の強度や剛性を高めることができる。更に、縦スリットｈ４付近に位置する水平天板３ｂ２には、縦スリットｈ４と連通する横スリットｈ５が形成されている。横スリットｈ５の上端部には、内側垂直壁３ｂ３に沿って、対向するように、略三角柱状のガイドブロックｈ６が形成されており、ガイドブロックｈ６は、傾斜面ｈ６ａと底面ｈ６ｂとを有している。相対する傾斜面ｈ６ａ間の間隙は、下方に行くに従って狭くなるように構成されている。
【００１９】
なお、本実施例には、先行傾倒側壁用土手部３ｂ’の両端部付近に、それぞれ、１個の雌ヒンジ用凹部Ｈ１が形成されているとともに、雌ヒンジ用凹部Ｈ１間に、２個の嵌合用凹部Ｃ１が形成されている例が示されている。
【００２０】
額縁状土手部材３ｂのもう一方の相対する土手部３ｂ”の水平天板３ｂ２には、もう一方の相対する土手部３ｂ”の略全幅に亘たって延在するとともに、上方に所定の高さに亘たって延在する、後述する後行傾倒側壁２がヒンジ連結される垂直壁部材８が立設されている。
【００２１】
垂直壁部材８は、もう一方の相対する土手部３ｂ”の内側垂直壁３ｂ３と略面一な垂直壁部８ａを有している。また、垂直壁部８ａの所定部分を、土手部３ｂ”の内側垂直壁３ｂ３から外側垂直壁３ｂ１方向に膨出させることにより、垂直壁部材８には、図７に示されているように、奥板ｃ４と、相対する側板ｃ５と、底板ｃ６と、土手部３ｂ”の内側垂直壁３ｂ３と略面一な前板ｃ７とからなる、上方及び底部３ａ側の一部が開放された嵌合用凹部Ｃ２が形成されている。なお、底板ｃ６は、土手部３ｂ”を構成する水平天板３ｂ２の一部として形成されている。このような嵌合凹部Ｃ２は、垂直壁部材８に、１個或いは２個以上形成されている。本実施例には、額縁状土手部材３ｂのもう一方の相対する土手部３ｂ”の水平天板３ｂ２に立設された垂直壁部材８の中央部領域に２個の嵌合用凹部Ｃ２が形成されている例が示されている。
【００２２】
垂直壁部材８の垂直壁部８ａの両端部付近を、上述した嵌合用凹部Ｃ２と同様に、土手部３ｂ”の内側垂直壁３ｂ３から外側垂直壁３ｂ１方向に膨出させることにより、垂直壁部材８には、図８に示されているように、奥板ｈ８と相対する側板ｈ９と底板ｈ１０とからなる、上方と底部３ａ側が開放された雌ヒンジ用凹部Ｈ２が形成されている。雌ヒンジ用凹部Ｈ２の先行傾倒側壁用土手部３ｂ’側に位置する側壁ｈ９には、略その全面に亘たって側部開口ｈ１１が形成されているとともに、側部開口ｈ１１側に位置する垂直壁部８ａの上端部には、側部開口ｈ１１に連通された切り欠き部ｈ１２が形成されている。本実施例には、垂直壁部材８の両端部に、それぞれ、１個の雌ヒンジ用凹部Ｈ２が形成されているとともに、雌ヒンジ用凹部Ｈ２間に、２個の嵌合用凹部Ｃ２が形成されている例が示されている。
【００２３】
垂直壁部材８を形成する垂直壁部８ａの上端には、垂直壁部材８の全長に亘たって外側に延在する上端水平リブ８ｂが形成されているとともに、垂直壁部８ａには、上端水平リブ８ｂの下面ともう一方の相対する土手部３ｂ”を形成する水平天板３ｂ２の上面とを連結する垂直リブ８ｃが、適当数、形成されている。
【００２４】
図９に示されているように、上端水平リブ８ｂの先端と垂直リブ８ｃの先端とにより形成される垂直壁部材８の仮想垂直外壁面Ｆ１は、額縁状土手部材３ｂのもう一方の相対する土手部３ｂ”を形成する外側垂直壁３ｂ１より、所定量Ｄ１だけ引っ込んで形成されている。また、垂直壁部材８に形成された嵌合用凹部Ｃ２の奥板ｃ４付近及び雌ヒンジ用凹部Ｈ２の奥板ｈ８付近より外側に位置する、もう一方の相対する土手部３ｂ”を形成する水平天板３ｂ２の略全領域には、もう一方の相対する土手部３ｂ”を形成する外側垂直壁３ｂ１に向かって下方に傾斜した傾斜面３ｂ２’が形成されている。換言すれば、もう一方の相対する土手部３ｂ”の外側垂直壁３ｂ１と水平天板３ｂ２とにより形成される外側角部には、傾斜面３ｂ２’が形成されている。このような傾斜面３ｂ２’を形成することにより、水平天板３ｂ２全体が、水平面として形成されている場合に較べて、水平天板３ｂ２に溜まる塵埃等を減少することができる。
【００２５】
雌ヒンジ用凹部Ｈ２と嵌合用凹部Ｃ２間に位置する上端水平リブ８ｂには、凹状或いは透孔状の嵌合窪み部８ｂ１が形成されている。また、図１１に示されているように、嵌合用凹部Ｃ２間に位置する上端水平リブ８ｂの中央部上面には、相対する傾斜面９ａと水平上面９ｂとを有する略台形状の嵌合ブロック９が形成されているとともに、略台形状の嵌合ブロック９の水平上面９ｂには、垂直壁部材８の長手方向に対して略垂直な嵌合溝９ｃが形成されている。
【００２６】
次に、図１２〜図１７を用いて、上述した額縁状土手部材３ｂの先行傾倒側壁用土手部３ｂ’に配設される先行傾倒側壁１について説明する。
【００２７】
先行傾倒側壁１は、略方形状の板状部１ａを有しており、板状部１ａの上端水平縁には、板状部１ａの外面（ボックスパレットＢｐが箱型に組み立てられた際に、外側に位置する面）１ａ１から外方に延在する上端水平リブ１ｂが形成されており、また、板状部１ａの下端水平縁には、板状部１ａの外面１ａ１から外方に延在する下端水平リブ１ｃが形成されている。また、板状部１ａの相対する垂直端縁１ｄより、所定の縦長帯状部１ｅを残して位置する板状部１ａには、上端水平リブ１ｂの両端と下端水平リブ１ｃの両端を連結する端部垂直リブ１ｆが形成されている。縦長帯状部１ｅに位置する板状部１ａの外面１ａ１には、所定の間隔を置いて、複数の嵌合突条１ｅ１が、上下方向に配設されている。なお、本実施例には、５個の嵌合突条１ｅ１が形成されている例が示されている。
【００２８】
相対する垂直端縁１ｄの近傍には、上端水平リブ１ｂと下端水平リブ１ｃとを連結する端部側垂直リブ１ｇが、それぞれ形成されており、垂直端縁１ｄと端部側垂直リブ１ｇとの間に位置する領域の上部及び下部には、それぞれ、垂直端縁１ｄと端部側垂直リブ１ｇとを連結する上部水平区画リブ１ｈと下部水平区画リブ１ｉが形成されている。
【００２９】
上述したように、上部水平区画リブ１ｈと下部水平区画リブ１ｉとを形成することにより、端部垂直リブ１ｆと端部側垂直リブ１ｇとの間に位置する領域の上部及び下部には、端部垂直リブ１ｆと端部側垂直リブ１ｇと上部水平区画リブ１ｈと下部水平区画リブ１ｉと板状部１ａとにより囲まれた配設空間Ａが形成されている。本実施例には、端部垂直リブ１ｆと端部側垂直リブ１ｇとの間に位置する一方の領域の上部及び下部に、それぞれ、１個の配設空間Ａが形成されているとともに、端部垂直リブ１ｆと端部側垂直リブ１ｇとの間に位置するもう一方の領域の上部及び下部に、それぞれ、１個の配設空間Ａが形成されており、合計４個の配設空間Ａが形成されている例が示されているが、端部垂直リブ１ｆと端部側垂直リブ１ｇとの間に位置する一方の領域及び端部垂直リブ１ｆと端部側垂直リブ１ｇとの間に位置するもう一方の領域に、それぞれ、３個以上の配設空間Ａを形成することもできる。また、端部垂直リブ１ｆと端部側垂直リブ１ｇとの間に位置する一方の領域及び端部垂直リブ１ｆと端部側垂直リブ１ｇとの間に位置するもう一方の領域の上部のみの一箇所に、配設空間Ａを形成することもできる。
【００３０】
配設空間Ａ内に位置する端部垂直リブ１ｆには、補強ブロック１ｊが連接されているとともに、補強ブロック１ｊと端部垂直リブ１ｆには、縦長のロック部挿入透孔１ｋが穿設されている。なお、ロック部挿入透孔１ｋが穿設されている端部垂直リブ１ｆ付近に位置する縦長帯状部１ｅには、嵌合突条１ｄ１が突設されることがないように構成されている。なお、ロック部挿入透孔１ｋより、板状部１ａ側に位置する補強ブロック１ｊと端部垂直リブ１ｆには、先行傾倒側壁１の重量の軽減化や、合成樹脂材の節約や、先行傾倒側壁１の成形時における冷却過程での変形を防止するために、貫通孔１ｋ’が穿設されている。
【００３１】
補強ブロック１ｊと端部垂直リブ１ｆに形成された縦長のロック部挿入透孔１ｋは、板状部１ａと平行で、且つ、板状部１ａ側に位置する内部側垂直内面１ｋ１と、内部側垂直内面１ｋ１と対向する外部側垂直内面１ｋ２と、天井面１ｋ３と、底面１ｋ４とから構成されている。外部側垂直内面１ｋ２には、係止凹部１ｋ５が形成されており、係止凹部１ｋ５は、ロック部挿入透孔１ｋ側及び嵌合突条１ｅ１側が開放されている。
【００３２】
配設空間Ａ内に位置する板状部１ａには、上下方向に、上部水平区画リブ１ｈから下部水平区画リブ１ｉまで延在するとともに、左右方向に、補強ブロック１ｊから端部側垂直リブ１ｇ付近まで延在する、後述する係止部材が嵌合される嵌合凹部１ｍが形成されている。嵌合凹部１ｍは、奥板１ｍ１と上部水平区画リブ１ｈの下面と下部水平区画リブ１ｉの上面と相対する側面１ｍ２とにより囲まれており、前面が開放されている。また、嵌合凹部１ｍを構成する奥板１ｍ１の上端部には、横長の上部嵌合孔１ｎが穿設されているとともに、奥板１ｍ１の下端部にも、横長の下部嵌合孔１ｐが穿設されている。更に、図１７に示されているように、上部嵌合孔１ｎの天井面１ｎ１と板状部１ａの内面（ボックスパレットＢｐが箱型に組み立てられた際に、内側に位置する面）１ａ２との角部には、上部係止ノッチ１ｑが形成されているとともに、下部嵌合孔１ｐの底面１ｐ１と板状部１ａの内面１ａ２との角部にも、上部係止ノッチ１ｑと同様の下部係止ノッチ１ｒが形成されている。
【００３３】
また、配設空間Ａ内に位置する板状部１ａに形成されている嵌合凹部１ｍには、奥板１ｍ１に穿設された上部嵌合孔１ｎと下部嵌合孔１ｐ以外には、一切、透孔は穿設されておらず、また、嵌合凹部１ｍを除く、配設空間Ａ内に位置する板状部１ａにも、一切、透孔は穿設されていない。
【００３４】
配設空間Ａを構成する上部水平区画リブ１ｈの下面には、板状部１ａに平行な上部ガイドレール１ｓが形成されているとともに、配設空間Ａを構成する下部水平区画リブ１ｉの上面には、板状部１ａに平行な下部ガイドレール１ｔが形成されている。
【００３５】
図１２に示されているように、先行傾倒側壁１の下端水平リブ１ｃの下面には、上述した上部デッキ３を形成する額縁状土手部材３ｂの先行傾倒側壁用土手部３ｂ’に形成されている嵌合凹部Ｃ１に対応して、嵌合凹部Ｃ１に嵌合可能な嵌合ブロックＶ１が垂下されている。また、先行傾倒側壁１の下端水平リブ１ｃの下面には、上部デッキ３を形成する額縁状土手部材３ｂの先行傾倒側壁用土手部３ｂ’に形成されている雌ヒンジ用凹部Ｈ１に対応して、雄ヒンジ部材Ｈ１’が垂設されている。雄ヒンジ部材Ｈ１’は、上述した嵌合ブロックＶ１と同様の雌ヒンジ用凹部Ｈ１に嵌合可能な嵌合ブロック本体ｈ１’と、嵌合ブロック本体ｈ１’の縦長帯状部１ｅ側の側面ｈ１ａ’の下端部に、該側面ｈ１ａ’に略垂直に形成された短軸ｈ１ｂ’とを有している。
【００３６】
先行傾倒側壁１を、上部デッキ３を形成する額縁状土手部材３ｂの先行傾倒側壁用土手部３ｂ’の上方に配置し、その後、先行傾倒側壁１を下降させて、先行傾倒側壁１の嵌合ブロックＶ１を、先行傾倒側壁用土手部３ｂ’に形成されている嵌合凹部Ｃ１に嵌合する。この先行傾倒側壁用土手部３ｂ’に形成されている嵌合凹部Ｃ１への先行傾倒側壁１の嵌合ブロックＶ１の嵌合と並行して、先行傾倒側壁１の雄ヒンジ部材Ｈ１’を形成する嵌合ブロック本体ｈ１’が、先行傾倒側壁用土手部３ｂ’に形成されている雌ヒンジ用凹部Ｈ１に嵌合されるとともに、先行傾倒側壁１の雄ヒンジ部材Ｈ１’を形成する短軸ｈ１ｂ’が、雌ヒンジ用凹部Ｈ１を構成する相対する略三角柱状のガイドブロックｈ６の相対する傾斜面ｈ６ａに案内されながら、相対するガイドブロックｈ６間に形成されている間隙ｈ６’を経て、縦スリットｈ４に挿入されることにより、先行傾倒側壁１の雄ヒンジ部材Ｈ１’と上部デッキ３を構成する額縁状土手部材３ｂの先行傾倒側壁用土手部３ｂ’に形成された雌ヒンジ用凹部Ｈ１とがヒンジ連結されることになる。このようにして、先行傾倒側壁１が、パレット部Ｐの額縁状土手部材３ｂを構成する先行傾倒側壁用土手部３ｂ’にヒンジ連結されることになる。
【００３７】
なお、相対するガイドブロックｈ６間に形成されている間隙ｈ６’の間隙幅は、短軸ｈ１ｂ’の直径より狭く形成されているので、短軸ｈ１ｂ’は、ガイドブロックｈ６が形成されている内側垂直壁３ｂ３や雌ヒンジ用凹部Ｈ１を形成する奥板ｈ１を外側に弾性変形させて、相対するガイドブロックｈ６間に形成されている間隙ｈ６’を拡げるようにして、相対するガイドブロックｈ６間に形成されている間隙ｈ６’を経て、縦スリットｈ４に挿入されることになる。このように、先行傾倒側壁１の雄ヒンジ部材Ｈ１’を形成する短軸ｈ１ｂ’が、短軸ｈ１ｂ’の直径より狭い間隙を有する、相対するガイドブロックｈ６間に形成されている間隙ｈ６’に圧入されるように構成されているので、先行傾倒側壁１が、上方に持ち上げられても、先行傾倒側壁１の雄ヒンジ部材Ｈ１’を形成する短軸ｈ１ｂ’が、上部デッキ３を構成する額縁状土手部材３ｂの先行傾倒側壁用土手部３ｂ’に形成された雌ヒンジ用凹部Ｈ１の相対するガイドブロックｈ６間に形成されている間隙ｈ６’から、簡単には、抜け出ないように構成されている。
【００３８】
次に、図１８〜図２０を用いて、後行傾倒側壁２について説明する。
【００３９】
後行傾倒側壁２は、略方形状の板状部２ａを有しており、板状部２ａの上端水平縁には、板状部２ａの外面（ボックスパレットＢｐが箱型に組み立てられた際に、外側に位置する面）２ａ１から外方に延在する上端水平リブ２ｂが形成されており、また、板状部１ａの下端水平縁には、板状部１ａの外面１ａ１から外方に延在する下端水平リブ２ｃが形成されている。板状部１ａの相対する垂直端縁２ｄには、板状部２ａの内面（ボックスパレットＢｐが箱型に組み立てられた際に、内側に位置する面）２ａ２に略垂直な当接枠２ｅが形成されている。
【００４０】
当接枠２ｅには、板状部２ａに平行な嵌合孔２ｅ１が形成されており、嵌合孔２ｅ１には、上述した先行傾倒側壁１の縦長帯状部１ｅに突設された嵌合突条１ｅ１が挿入されるように構成されている。また、当接枠２ｅの板状部２ａと平行な先端垂直面２ｅ２の上部には、後述するロック部材のロック部が挿入可能なロック部挿入凹部２ｅ３が形成されている。
【００４１】
また、後行傾倒側壁２の下端水平リブ２ｃの下面には、上述した上部デッキ３を構成する額縁状土手部材３ｂのもう一方の土手部３ｂ”の水平天板３ｂ２に立設されている垂直壁部材８に形成されている嵌合凹部Ｃ２に対応して、嵌合凹部Ｃ２に嵌合可能な嵌合ブロックＶ２が垂下されている。
【００４２】
更に、後行傾倒側壁２の下端水平リブ２ｃの下面には、上部デッキ３を構成する額縁状土手部材３ｂのもう一方の土手部３ｂ”の水平天板３ｂ２に立設されている垂直壁部材８に形成されている雌ヒンジ用凹部Ｈ２に対応して、雄ヒンジ部材Ｈ２’が垂設されている。雄ヒンジ部材Ｈ２’は、雌ヒンジ用凹部Ｈ２に嵌合可能な嵌合ブロック本体ｈ２’と、嵌合ブロック本体ｈ２’の当接枠２ｅ側の側面ｈ２ａ’の下端部に、該側面ｈ２ａ’に略垂直に形成された短軸ｈ２ｂ’とを有している。
【００４３】
略水平状態の後行傾倒側壁２を、後行傾倒側壁２の下端水平リブ２ｃに形成されている嵌合ブロックＶ２が、上部デッキ３を構成する額縁状土手部材３ｂのもう一方の土手部３ｂ”の水平天板３ｂ２に立設されている垂直壁部材８に形成されている嵌合凹部Ｃ２に対向するとともに、後行傾倒側壁２の雄ヒンジ部材Ｈ２’の嵌合ブロック本体ｈ２’が、垂直壁部材８に形成されている雌ヒンジ用凹部Ｈ２に対向するように配置する。その後、後行傾倒側壁２を、嵌合用凹部Ｃ２の奥壁ｃ４及び雌ヒンジ用凹部Ｈ２の奥壁ｈ８方向に移動させて、後行傾倒側壁２の嵌合ブロックＶ２の先端部を、垂直壁部材８に形成されている嵌合凹部Ｃ２に嵌合する。この嵌合凹部Ｃ２への後行傾倒側壁２の嵌合ブロックＶ２の嵌合と並行して、後行傾倒側壁２の雄ヒンジ部材Ｈ２’を形成する嵌合ブロック本体ｈ２’の先端部が、垂直壁部材８に形成されている雌ヒンジ用凹部Ｈ２に嵌合されるとともに、後行傾倒側壁２の雄ヒンジ部材Ｈ２’を形成する短軸ｈ２ｂ’が、額縁状土手部材３ｂのもう一方の土手部３ｂ”に立設されている垂直壁部材８の垂直壁部８ａの上端部に形成されている切り欠き部ｈ１２を経て、切り欠き部ｈ１２に連通されている側部開口ｈ１１に挿入されるように構成されている。このようにして、後行傾倒側壁２の雄ヒンジ部材Ｈ２’と上部デッキ３を形成する額縁状土手部材３ｂのもう一方の土手部３ｂ”に立設された垂直壁部材８に形成されている雌ヒンジ用凹部Ｈ２とがヒンジ連結されることになる。このようにして、後行傾倒側壁２が、パレット部Ｐの額縁状土手部材３ｂを構成するもう一方の土手部３ｂ”に立設された垂直壁部材８にヒンジ連結されることになる。
【００４４】
なお、もう一方の相対する土手部３ｂ”に立設された垂直壁部材８の側部開口ｈ１１側に位置する垂直壁部８ａの上部に、切り欠き部ｈ１２が形成されており、上端水平リブ８ｃには、上述した雌ヒンジ用凹部Ｈ１を形成する横スリットｈ５が形成されていないので、後行傾倒側壁２が上方に持ち上げられても、後行傾倒側壁２の雄ヒンジ部材Ｈ２’を形成する短軸ｈ２ｂ’が、切り欠き部ｈ１２付近の上端水平リブ８ｂに当接することになるので、簡単には、後行傾倒側壁２の雄ヒンジ部材Ｈ２’と上部デッキ３を形成する額縁状土手部材３ｂのもう一方の土手部３ｂ”に立設された垂直壁部材８に形成された雌ヒンジ用凹部Ｈ２とのヒンジ連結が解除されるようなことはない。
【００４５】
後行傾倒側壁２の下端水平リブ２ｃの略中央部には、下端水平リブ２ｃを上方に膨出させることにより、相対する傾斜面２ｆ１と水平面２ｆ２とからなる、前方及び下方が開放された嵌合凹部２ｆが形成されている。後行傾倒側壁２を、略垂直に立てた際には、嵌合凹部２ｆに、上部デッキ３を形成する額縁状土手部材３ｂのもう一方の土手部３ｂ”に立設された垂直壁部材８の上端水平リブ８ｃの中央部上面に形成されてた略台形状の嵌合ブロック９が嵌合されるように構成されている。
【００４６】
後行傾倒側壁２の上端水平リブ２ｂや下端水平リブ２ｃや垂直端縁２ｄや必要に応じて形成される垂直リブ２ｇや水平リブ２ｈの各先端により形成される後行傾倒側壁２の仮想垂直外壁面Ｆ２は、図９に示されているように、上端水平リブ８ｂの先端と垂直リブ８ｃの先端とにより形成される垂直壁部材８の仮想垂直外壁面Ｆ１と略面一に形成されている。
【００４７】
次に、上述した先行傾倒側壁１に形成された配設空間Ａ内に配設されるロック部材Ｕ及び衝合部材Ｅについて説明する。
【００４８】
先ず最初に、図２１及び図２２を用いて、ロック部材Ｕについて説明する。
【００４９】
ロック部材Ｕは、相対する縦長の長方形状の垂直側壁ｕ１ａと相対する水平側壁ｕ１ｂとにより、略角筒状に形成された角筒部ｕ１を有しているとともに、角筒部ｕ１の中程に形成された隔壁ｕ１’とを有している。また、角筒部ｕ１を形成する相対する垂直側壁ｕ１ａの一方の垂直側壁ｕ１ａには、垂直側壁ｕ１ａに垂直で、且つ、垂直側壁ｕ１ａの上下方向に沿って延在する厚板状のロック部ｕ２が形成されている。また、角筒部ｕ１を形成する相対する垂直側壁ｕ１ａのもう一方の垂直側壁ｕ１ａ（ロック部ｕ２が形成されていない垂直側壁）には、後述する衝合部材Ｅに形成されている当接弾性舌片が通過可能な切欠き部ｕ３が形成されている。
【００５０】
ロック部ｕ２に、一対の水平スリットｓ１ａと、一対の水平スリットｓ１ａのロック部ｕ２の先端側に位置する端部を連結する垂直スリットｓ１ｂとからなる略コの字状のスリットｓ１を形成することにより、係止弾性舌片ｕ４が形成されており、係止弾性舌片ｕ４の自由端部には、係止突起ｕ４ａが突設されている。また、角筒部ｕ１を形成する相対する水平側壁ｕ１ｂには、隔壁ｕ１’に沿って、それぞれ、ガイド突片ｕ５が突設されている。なお、ｕ６は、切欠き部ｕ３が形成されている垂直側壁ｕ１ａと切欠き部ｕ３が形成されていない垂直側壁ｕ１ａとを連結する補強水平リブであり、補強水平リブｕ６は、切欠き部ｕ３内に突設しないように構成されている。
【００５１】
次に、図２３及び図２４を用いて、上述した先行傾倒側壁１に形成された配設空間Ａ内に配設される衝合部材Ｅについて説明する。
【００５２】
衝合部材Ｅは、先行傾倒側壁１の配設空間Ａ内に位置する板状部１ａに形成された嵌合凹部１ｍに嵌合されるように構成されている。衝合部材Ｅは、略方形状の板状本体ｅ１を有しており、板状本体ｅ１の裏面（衝合部材Ｅを、嵌合凹部１ｍに嵌合した際に、嵌合凹部１ｍの奥板１ｍ１に当接、或いは、嵌合凹部１ｍの奥板１ｍ１に近接する面）ｅ１’の上端部には、上部盲ブロックｅ２が突設されているとともに、板状本体ｅ１の裏面ｅ１’の下端部には、上部盲ブロックｅ２と同様の下部盲ブロックｅ３が突設されている。
【００５３】
上部盲ブロックｅ２の上面ｅ２ａは、板状本体ｅ１の上面ｅ１ａと略面一になるように形成されており、上部盲ブロックｅ２の上面ｅ２ａには、上述した先行傾倒側壁１に穿設された上部嵌合孔１ｎの天井面１ｎ１と板状部１ａの内面１ａ２との角部に形成された上部ノッチ１ｑに嵌合されるように構成された上部係止突条ｅ４が突設されている。同様に、上部盲ブロックｅ３の下面ｅ３ａは、板状本体ｅ１の下面ｅ１ｂと略面一になるように形成されており、下部盲ブロックｅ３の下面ｅ３ａには、上述した先行傾倒側壁１に穿設された下部嵌合孔１ｐの底面１ｐ１と板状部１ａの内面１ａ２との角部に形成された下部ノッチ１ｒに嵌合されるように構成された下部係止突条ｅ５が突設されている。
【００５４】
板状本体ｅ１に、一対の水平スリットｓ２ａと、一対の水平スリットｓ２ａの一方の端部を連結する垂直スリットｓ２ｂとからなる略コの字状のスリットｓ２を形成することにより、ロック解除位置にあるロック部材Ｕの端部側垂直リブ１ｇ方向への移動を制限するための当接弾性舌片ｅ６が形成されている。当接弾性舌片ｅ６の少なくとも自由端部は、板状本体ｅ１の前面（衝合部材Ｅを、嵌合凹部１ｍに嵌合した際に、外側に位置する面）ｅ１”から突出して位置するように構成されている。
【００５５】
次に、図２５〜図２８を用いて、先行傾倒側壁１に形成された配設空間Ａ内への衝合部材Ｅの取り付けについて説明する。
【００５６】
先ず最初に、配設空間Ａ内に位置する板状部１ａに形成された嵌合凹部１ｍに、衝合部材Ｅの板状本体ｅ１の裏面ｅ１’と嵌合凹部１ｍの奥板１ｍ１とが対向するように、衝合部材Ｅを嵌合するとともに、衝合部材Ｅの上部盲ブロックｅ２を、嵌合凹部１ｍ内に位置する板状部１ａに穿設された上部嵌合孔１ｎに嵌入させ、また、衝合部材Ｅの下部盲ブロックｅ３を、嵌合凹部１ｍ内に位置する板状部１ａに穿設された下部嵌合孔１ｐに嵌入させる。その後、衝合部材Ｅを、嵌合凹部１ｍの奥板１ｍ１方向に更に押し込むと、上部盲ブロックｅ２の上面ｅ２ａに突設されている上部係止突条ｅ４が、先行傾倒側壁１に穿設された上部嵌合孔１ｎの天井面１ｎ１と板状部１ａの内面１ａ２との角部に形成された上部ノッチ１ｑに嵌合され、また、下部盲ブロックｅ３の下面ｅ３ａに突設されている下部係止突条ｅ５が、先行傾倒側壁１に穿設された下部嵌合孔１ｐの底面１ｐ１と板状部１ａの内面１ａ２との角部に形成された下部ノッチ１ｒに嵌合されることになる。このようにして、配設空間Ａ内に位置する板状部１ａに形成された嵌合凹部１ｍに、衝合部材Ｅが取り付けられることになる。配設空間Ａ内に位置する板状部１ａに形成された嵌合凹部１ｍに、衝合部材Ｅが取り付けられた際には、衝合部材Ｅの板状本体ｅ１は、嵌合凹部１ｍ内に収容され、また、衝合部材Ｅの当接弾性舌片ｅ６の少なくとも自由端部は、配設空間Ａ内に位置する板状部１ａの外面１ａ１を超えて、外側に突出するように構成されている。
【００５７】
次に、図２９〜図３４を用いて、先行傾倒側壁１に形成された配設空間Ａ内へのロック部材Ｕの取り付けについて説明する。
【００５８】
先ず最初に、図２９に示されているように、ロック部材Ｕを構成する係止弾性舌片ｕ４の係止突起ｕ４ａが、外側（先行傾倒側壁１の板状部１ａに対して、反対側）に位置し、また、角筒部ｕ１のロック部ｕ２が形成されていない垂直側壁ｕ１ａに形成された切欠き部ｕ３が、先行傾倒側壁１の板状部１ａと対向するとともに、切欠き部ｕ３が、配設空間Ａ内に位置する端部側垂直リブ１ｇ側に位置し、また、角筒部ｕ１のロック部ｕ２が、配設空間Ａ内に位置する端部垂直リブ１ｆ側に位置するように、ロック部材Ｕを、先行傾倒側壁１に形成された配設空間Ａの開放側に配置する。
【００５９】
次いで、図３１及び図３２に示されているように、角筒部ｕ１のロック部ｕ２が形成されていない垂直側壁ｕ１ａ、即ち、切欠き部ｕ３が形成されている垂直側壁ｕ１ａが、端部側垂直リブ１ｇに当接或いは近接するとともに、ロック部ｕ２が形成されている垂直側壁ｕ１ａが、衝合部材Ｅの当接弾性舌片ｅ６の根元部付近、或いは、当接弾性舌片ｅ６に当接するように、ロック部材Ｕを、先行傾倒側壁１に形成された配設空間Ａ内に配設する。この状態においては、ロック部材Ｕの角筒部ｕ１の相対する水平側壁ｕ１ｂに形成されているガイド突片ｕ５が、配設空間Ａを構成する上部水平区画リブ１ｈの下面１ｈ１に形成されている上部ガイドレール１ｓ及び下部水平区画リブ１ｉの上面１ｉ１に形成されている下部ガイドレール１ｔに、正面から見て、重ならないように構成されている。
【００６０】
次いで、図３２及び図３３に示されているように、ロック部材Ｕを、端部垂直リブ１ｆ方向に移動させるとともに、ロック部材Ｕの角筒部ｕ１のロック部ｕ２が形成されている垂直側壁ｕ１ａにより、衝合部材Ｅの当接弾性舌片ｅ６を押し付け弾性変形させて、当接弾性舌片ｅ６を、嵌合凹部１ｍ内に入り込ませる。その後、更に、ロック部材Ｕを、端部垂直リブ１ｆ方向に移動させると、ロック部材Ｕの角筒部ｕ１のロック部ｕ２が形成されている垂直側壁ｕ１ａが、衝合部材Ｅの当接弾性舌片ｅ６の先端ｅ６ａを超えることになり、ロック部材Ｕの角筒部ｕ１のロック部ｕ２が形成されている垂直側壁ｕ１ａが、衝合部材Ｅの当接弾性舌片ｅ６の先端ｅ６ａを超えた時点で、衝合部材Ｅの当接弾性舌片ｅ６が、その弾性復元力により、衝合部材Ｅの当接弾性舌片ｅ６の少なくとも自由端部が、配設空間Ａ内に位置する板状部１ａの外面１ａ１を超えて外側に突出した元の位置に戻ることになる。また、この状態においては、ロック部材Ｕのロック部ｕ２の先端部が、配設空間Ａ内に位置する端部垂直リブ１ｆと補強ブロック１ｊに穿設されたロック部挿入透孔１ｋに挿入されているとともに、ロック部ｕ２の先端が、端部垂直リブ１ｆを越えて外側に突出しないように構成されている。更に、この状態においては、図２２に示されているように、ロック部材Ｕの角筒部ｕ１の相対する水平側壁ｕ１ｂに形成されているガイド突片ｕ５が、配設空間Ａを構成する上部水平区画リブ１ｈの下面１ｈ１に形成されている上部ガイドレール１ｓ及び下部水平区画リブ１ｉの上面１ｉ１に形成されている下部ガイドレール１ｔの背後に位置し、且つ、正面から見て、互いに重なるように構成されている。このようにして、先行傾倒側壁１に形成された配設空間Ａ内に、ロック部材Ｕが取り付けられることになる。なお、ロック部材Ｕを、端部垂直リブ１ｆ方向に移動させた際には、ロック部材Ｕを構成する角筒部ｕ１のロック部ｕ２が形成されていない垂直側壁ｕ１ａに形成された切欠き部ｕ３には、衝合部材Ｅの当接弾性舌片ｅ６が挿通されるように構成されているので、ロック部ｕ２が形成されていない垂直側壁ｕ１ａに、衝合部材Ｅの当接弾性舌片ｅ６が接触するようなことがない。
【００６１】
図３２に示されているように、ロック部材Ｕを構成する角筒部ｕ１のロック部ｕ２が形成されている垂直側壁ｕ１ａの角筒部ｕ１内に位置する内面ｕ１ａ’が、衝合部材Ｅの当接弾性舌片ｅ６の先端ｅ６ａに当接、或いは、当接弾性舌片ｅ６の先端ｅ６ａに近接している状態では、ロック部材Ｕのロック部ｕ２の先端部が、配設空間Ａ内に位置する端部垂直リブ１ｆと補強ブロック１ｊに穿設されたロック部挿入透孔１ｋに挿入されているとともに、ロック部ｕ２の先端が、端部垂直リブ１ｆを越えて外側に突出しないように構成されている。この状態において、ロック部材Ｕを、端部側垂直リブ１ｇ方向に移動しようとしても、ロック部ｕ２が形成されている垂直側壁ｕ１ａの角筒部ｕ１内に位置する内面ｕ１ａ’が、衝合部材Ｅの当接弾性舌片ｅ６の先端ｅ６ａに当接することになり、従って、ロック部材Ｕが、端部側垂直リブ１ｇ方向に移動し、ロック部材Ｕのロック部ｕ２が、補強ブロック１ｊと端部垂直リブ１ｆに穿設されているロック部挿入透孔１ｋから抜け出て、ロック部材Ｕが、配設空間Ａから外れるようなことを防止することができる。このようなロック部材Ｕの状態或いは位置を、ロック部材Ｕの解除状態、或いは、ロック部材Ｕの解除位置と称する。更に、このロック部材Ｕの解除位置においては、ロック部ｕ２に形成されている係止弾性舌片ｕ４は、ロック部挿入透孔１ｋに挿入されていない。
【００６２】
上述したロック部材Ｕの解除位置から、ロック部材Ｕの角筒部ｕ１を、補強ブロック１ｊ方向に移動させると、ロック部ｕ２に形成されている係止弾性舌片ｕ４の係止突起ｕ４ａが、ロック部挿入透孔１ｋに挿入されるとともに、係止弾性舌片ｕ４の係止突起ｕ４ａが、ロック部挿入透孔１ｋの外部側垂直内面１ｋ２に当接し、係止弾性舌片ｕ４がその弾性力に抗して、内部側垂直内面１ｋ１方向に弾性変形することになる。更に、ロック部材Ｕの角筒部ｕ１を、補強ブロック１ｊ方向に移動させると、図３４に示されているように、ロック部材Ｕのロック部ｕ２の先端部が、端部垂直リブ１ｆを越えて外側に突出するとともに、係止弾性舌片ｕ４の係止突起ｕ４ａが、ロック部挿入透孔１ｋの外部側垂直内面１ｋ２に形成された係止凹部１ｋ５に到達した時点で、係止弾性舌片ｕ４は、その弾性復元力により、外部側垂直内面１ｋ２方向に回動し、係止弾性舌片ｕ４の係止突起ｕ４ａが、ロック部挿入透孔１ｋの外部側垂直内面１ｋ２に形成された係止凹部１ｋ５に係合されることになる。このようなロック部材Ｕの状態或いは位置を、ロック部材Ｕのロック状態、或いは、ロック部材Ｕのロック位置と称する。ロック部材Ｕのロック位置においては、ロック部材Ｕのロック部ｕ２に形成されている係止弾性舌片ｕ４の係止突起ｕ４ａが、補強ブロック１ｊと端部垂直リブ１ｆに穿設されたロック部挿入透孔１ｋの外部側垂直内面１ｋ２に形成された係止凹部１ｋ５に係合されているので、簡単には、ロック部材Ｕが、端部側垂直リブ１ｇ方向に移動しないように構成されている。
【００６３】
次に、図２に示されているように、折り畳まれた状態のボックスパレットＢｐを、図１に示されているように、箱型に組み立てる順序について、主として、図３５及び図３６を用いて説明する。
【００６４】
先ず最初に、略水平状態の後行傾倒側壁２を略垂直立て、次いで、略水平状態の先行傾倒側壁１を、垂直方向に回動させる。このように、後行傾倒側壁２に次いで、先行傾倒側壁１を略垂直に立てた状態においては、図３６に示されているように、後行傾倒側壁２の当接枠２ｅに、先行傾倒側壁１の縦長帯状部１ｅが当接、或いは、近接するとともに、先行傾倒側壁１の縦長帯状部１ｅに突設されている嵌合突条１ｅ１が、後行傾倒側壁２の当接枠２ｅに穿設されている嵌合孔２ｅ１に挿入されることになる。このように、略水平状態の後行傾倒側壁２を略垂直立て、次いで、略水平状態の先行傾倒側壁１を略垂直立てる箱型への組み立て作業時においては、先行傾倒側壁１に形成された配設空間Ａ内に取り付けられているロック部材Ｕは、解除位置にある。即ち、ロック部材Ｕのロック部ｕ２の先端ｕ２ａは、端部垂直リブ１ｆを超えて、外側に突出していない。
【００６５】
次いで、ロック部材Ｕを、補強ブロック１ｊ及び端部垂直リブ１ｆ方向に移動させると、ロック部材Ｕのロック部ｕ２の先端ｕ２ａが、端部垂直リブ１ｆを超えて外側に突出し、ロック部材Ｕのロック部ｕ２が、後行傾倒側壁２の当接枠２ｅに形成されているロック部挿入凹部２ｅ３に挿入されるとともに、ロック部材Ｕを構成する弾性舌片ｕ４の係止突起ｕ４ａが、補強ブロック１ｊ及び端部垂直リブ１ｆに形成されたロック部挿入透孔１ｋの外部側垂直内面１ｋ２に形成されている係止凹部１ｋ５に係合されるように構成されている。このように、ロック部材Ｕを構成する弾性舌片ｕ４の係止突起ｕ４ａが、補強ブロック１ｊ及び端部垂直リブ１ｆに形成されたロック部挿入透孔１ｋの外部側垂直内面１ｋ２に形成されている係止凹部１ｋ５に係合されるように構成されているので、ロック部材Ｕに、ロック部材Ｕのロック部ｕ２が、後行傾倒側壁２の当接枠２ｅに形成されているロック部挿入凹部２ｅ３から排出されるような外力が加わっても、簡単には、ロック部材Ｕのロック部ｕ２が、後行傾倒側壁２の当接枠２ｅに形成されているロック部挿入凹部２ｅ３から排出するようなことを防止することができる。また、この状態において、先行傾倒側壁１に外側から負荷が加わっても、先行傾倒側壁１に形成された配設空間Ａ内に取り付けられているロック部材Ｕのロック部ｕ２が、後行傾倒側壁２の当接枠２ｅに形成されているロック部挿入凹部２ｅ３に挿入されているので、先行傾倒側壁１が、パレット部Ｐの上部デッキｐ１の上面方向に回動するようなことがない。
【００６６】
次に、図１に示されているように、箱型に組み立てられた状態のボックスパレットＢｐを、図２に示されているように、折り畳むには、ロック部材Ｕを、端部側垂直リブ１ｇ方向に移動させて、ロック部材Ｕのロック部ｕ２を、後行傾倒側壁２の当接枠２ｅに形成されているロック部挿入凹部２ｅ３から排出させ、その後、先行傾倒側壁１を、上部デッキｐ１の上面方向に回動させて、略水平状態に倒し、次いで、後行傾倒側壁２を、上部デッキｐ１の上面方向に回動させて、略水平状態に倒されている先行傾倒側壁１に重なるように倒すことにより、ボックスパレットＢｐを、高さの低いコンパクトな状態に折り畳むことになる。ロック部材Ｕに所定の力を加えて、ロック部材Ｕを、端部側垂直リブ１ｇ方向に移動させると、ロック部材Ｕを構成する弾性舌片ｕ４の係止突起ｕ４ａが、弾性舌片ｕ４の弾性力に抗して、補強ブロック１ｊ及び端部垂直リブ１ｆに形成されたロック部挿入透孔１ｋの外部側垂直内面１ｋ２に形成されている係止凹部１ｋ５から排出され、上記のように、ロック部材Ｕの端部側垂直リブ１ｇ方向への移動が可能となる。
【００６７】
上述したように、先行傾倒側壁１の配設空間Ａ内に位置する板状部１ａには、嵌合凹部１ｍを構成する奥板１ｍ１に穿設された上部嵌合孔１ｎと下部嵌合孔１ｐ以外には、一切、透孔は穿設されておらず、また、配設空間Ａ内に、衝合部材Ｅが取り付けられた際には、衝合部材Ｅの上部盲ブロックｅ２が、嵌合凹部１ｍの奥板１ｍ１に穿設された上部嵌合孔１ｎに嵌入されるとともに、衝合部材Ｅの下部盲ブロックｅ３が、嵌合凹部１ｍの奥板１ｍ１に穿設された下部嵌合孔１ｐに嵌入されて、嵌合凹部１ｍの奥板１ｍ１に穿設された上部嵌合孔１ｎと下部嵌合孔１ｐが、衝合部材Ｅの上部盲ブロックｅ２と下部盲ブロックｅ３とにより閉鎖されることになるので、箱型に組み立てられたボックスパレットＢｐのボックス部Ｂに収容されている物品の一部や細かい物品が、配設空間Ａ内に入り込むようなことを防止することができる。従って、配設空間Ａ内に入り込んだ物品により、配設空間Ａ内に配設されているロック部材Ｕの円滑な移動が阻止されるようなことを防止することができる。
【００６８】
また、上述したように、衝合部材Ｅの板状本体ｅ１に、略コの字状のスリットｓ２を形成することにより、当接弾性舌片ｅ６を形成する代わりに、先行傾倒側壁１の配設空間Ａ内に位置する板状部１ａに、直に、略コの字状のスリットを形成することにより、当接弾性舌片を形成するようにした発明を、本出願人の先の出願である特願２００５−１２２１２６において提案したが、このような略コの字状のスリットを、直に、板状部に形成した場合には、箱型に組み立てられたボックスパレットのボックス部に収容されている物品の一部や細かい物品が、略コの字状のスリットから、配設空間内に入り込み、配設空間内に配設されているロック部材の円滑な移動が阻止されることになるが、本実施例においては、上述した構成により、配設空間Ａ内に入り込んだ物品により、配設空間Ａ内に配設されているロック部材Ｕの円滑な移動が阻止されるようなことを防止することができる。
【００６９】
更に、先行傾倒側壁の配設空間内に位置する板状部に、直に、略コの字状のスリットを形成することにより、当接弾性舌片を形成した場合には、当接弾性舌片に、箱型に組み立てられたボックスパレットのボックス部に収容されている物品が当接し、当接弾性舌片が破損する場合がある。このように、当接弾性舌片が破損した場合には、先行傾倒側壁を取り替えるか、或いは、ボックスパレット全体を廃棄しなければならないことになる。しかしながら、本実施例においては、ロック部材Ｕとは別体の、当接弾性舌片ｅ６が形成されている衝合部材Ｅのみを交換すればよいので、先行傾倒側壁を取り替えるか、或いは、ボックスパレット全体を廃棄しなければならない場合に較べて、コスト削減が実現できる。
【００７０】
ボックスパレットＢｐが箱型に組み立てられた際には、上端水平リブ２ｂの先端や下端水平リブ２ｃの先端等により形成される後行傾倒側壁２の仮想垂直外壁面Ｆ２は、上端水平リブ８ｃの先端と垂直リブ８ｄの先端とにより形成される垂直壁部材８の仮想垂直外壁面Ｆ１と略面一に形成されており、後行傾倒側壁２の仮想垂直外壁面Ｆ２と垂直壁部材８の仮想垂直外壁面Ｆ１とは、額縁状土手部材３ｂのもう一方の相対する土手部３ｂ”を形成する外側垂直壁３ｂ１より、所定量（図９において、Ｄ１で示されている。）だけ引っ込んで形成されている。従って、ボックスパレットＢｐに収納された物品の重量により、後行傾倒側壁２が、外側に膨出したとしても、後行傾倒側壁２が、額縁状土手部材３ｂのもう一方の相対する土手部３ｂ”を形成する外側垂直壁３ｂ１を超えて、外側に突出するようなことがない。従って、パレット部Ｐの額縁状土手部材３ｂに較べて、強度的に弱い後行傾倒側壁２が、他の箱型に組み立てられたボックスパレットＢｐや他の物体に当接し、後行傾倒側壁２が損傷するようなことを防止することができる。
【００７１】
また、後行傾倒側壁２が、外側に膨出したとしても、後行傾倒側壁２が、額縁状土手部材３ｂのもう一方の相対する土手部３ｂ”を形成する外側垂直壁３ｂ１を超えて、外側に突出するようなことがないので、箱型に組み立てられたボックスパレットＢｐを、後行傾倒側壁２が対向するように並設した際に、隣接するボックスパレットＢｐのパレット部Ｐ同士が当接し、後行傾倒側壁２の外側に膨出した部分同士が当接するようなことがないので、従って、隣接するボックスパレットＢｐ間に間隙が形成されることがなく、箱型に組み立てられたボックスパレットＢｐの収容効率が向上する。
【００７２】
同様に、図１０に示されているように、ボックスパレットＢｐが箱型に組み立てられた際には、上端水平リブ１ｂの先端や下端水平リブ１ｃの先端等により形成される先行傾倒側壁１の仮想垂直外壁面Ｆ３は、上部デッキ３を構成する額縁状土手部材３ｂの先行傾倒側壁用土手部３ｂ’を形成する外側垂直壁３ｂ１より、所定量Ｄ２だけ引っ込んで形成されている。従って、ボックスパレットＢｐに収納された物品の重量により、先行傾倒側壁１が、外側に膨出していたとしても、先行傾倒側壁１が、額縁状土手部材３ｂの先行傾倒側壁用土手部３ｂ’を形成する外側垂直壁３ｂ１を超えて、外側に突出するようなことがないので、パレット部Ｐの額縁状土手部材３ｂに較べて、強度的に弱い先行傾倒側壁１が、他の箱型に組み立てられたボックスパレットＢｐや他の物体に当接し、先行傾倒側壁１が損傷するようなことを防止することができる。
【００７３】
また、先行傾倒側壁１が、外側に膨出したとしても、先行傾倒側壁１が、額縁状土手部材３ｂの先行傾倒側壁用土手部３ｂ’を形成する外側垂直壁３ｂ１を超えて、外側に突出するようなことがないので、箱型に組み立てられたボックスパレットＢｐを、先行傾倒側壁１が対向するように並設した際に、隣接するボックスパレットＢｐのパレット部Ｐ同士が当接し、先行傾倒側壁１の外側に膨出した部分同士が当接するようなことがないので、従って、隣接するボックスパレットＢｐ間に間隙が形成されることがなく、箱型に組み立てられたボックスパレットＢｐの収容効率が向上する。
【００７４】
更に、上述した、もう一方の相対する土手部３ｂ”の外側垂直壁３ｂ１と水平天板３ｂ２とにより形成される外側角部に形成された傾斜面３ｂ２’と同様に、図１０に示されているように、先行傾倒側壁用土手部３ｂ’の外側垂直壁３ｂ１と水平天板３ｂ２とにより形成される外側角部に、傾斜面３ｂ２”を形成することが好ましい。このような傾斜面３ｂ２”を形成することにより、水平天板３ｂ２全体が、水平面として形成されている場合に較べて、水平天板３ｂ２に溜まる塵埃等を減少することができる。
【００７５】
額縁状土手部材３ｂの先行傾倒側壁用土手部３ｂ’側に位置するパレット部Ｐの側部に形成されているフォーク差し込み口７に、フォークを挿入する際に、フォークの先端が、パレット部Ｐを構成する額縁状土手部材３ｂの先行傾倒側壁用土手部３ｂ’と先行傾倒側壁１とのヒンジ連結部を構成する、先行傾倒側壁用土手部３ｂ’に形成された雌ヒンジ用凹部Ｈ１の縦スリットｈ４と先行傾倒側壁１に配設されている雄ヒンジ部材Ｈ１’の短軸ｈ１ｂ’とが位置する先行傾倒側壁用土手部３ｂ’の外側垂直壁３ｂ１付近に当接することがあるが、先行傾倒側壁用土手部３ｂ’と先行傾倒側壁１とのヒンジ連結部は、外側垂直壁３ｂ１に直に配設されておらず、外側垂直壁３ｂ１から離反された位置に配設されているので、フォークの先端が、ヒンジ連結部付近に位置する先行傾倒側壁用土手部３ｂ’の外側垂直壁３ｂ１に当接しても、フォークの先端の外側垂直壁３ｂ１への当接に起因する衝撃が、直接、先行傾倒側壁用土手部３ｂ’と先行傾倒側壁１とのヒンジ連結部に伝わるようなことがない。従って、パレット部Ｐを構成する額縁状土手部材３ｂの先行傾倒側壁用土手部３ｂ’に形成された雌ヒンジ用凹部Ｈ１の縦スリットｈ４と、該縦スリットｈ４に挿入された、先行傾倒側壁１に配設されている雄ヒンジ部材Ｈ１’の短軸ｈ１ｂ’とにより構成されるヒンジ連結部が損傷するようなことを防止することができる。
【００７６】
図３８及び図３９には、箱型に組み立てられたボックスパレットＢｐ或いは折り畳まれたボックスパレットＢｐに被蓋される蓋部材Ｇが示されている。蓋部材Ｇは、天板部ｇ１と天板部ｇ１の周辺から下方に延在する周壁部ｇ２とを有している。天板部ｇ１の外周部には、周状土手部ｇ１ａが形成されており、周状土手部ｇ１ａを形成する、一方の相対する土手部ｇ１ａ’の中央部は、架橋土手部ｇ３により連結されている。一方の相対する土手部ｇ１ａ’の中央部の上面には、天板ｇ４ａと、天板ｇ４ａの各辺から下方に延在する４つの側板ｇ４ｂとから形成された、下方が開放された略台形状の嵌合台座ｇ４が形成されている。また、嵌合台座ｇ４の天板ｇ４ａの下面には、一方の相対する土手部ｇ１ａ’の長手方向に対して略直交する嵌合ブロックｇ４ｃが垂設されている。
【００７７】
図２に示されているように、折り畳まれた状態のボックスパレットＢｐに、蓋部材Ｇを被蓋した際には、図１１に示されているような、垂直壁部材８の上端水平リブ８ｂの中央部上面に形成された略台形状の嵌合ブロック９が、蓋部材Ｇに形成されている下方が開放された略台形状の嵌合台座ｇ４に嵌合されるとともに、嵌合台座ｇ４の天板ｇ４ａの下面に垂設された嵌合ブロックｇ４ｃが、嵌合ブロック９の水平上面９ｂに形成された嵌合溝９ｃに挿入されるように構成されている。このように構成することにより、折り畳まれた状態のボックスパレットＢｐに被蓋された蓋部材Ｇの水平移動を抑制することができる。
【００７８】
また、蓋部材Ｇに形成された嵌合台座ｇ４の天板ｇ４ａの下面には、嵌合ブロックｇ４ｃが垂設されているので、床等に載置されている蓋部材Ｇの嵌合台座ｇ４に、上方から負荷が加わっても、嵌合台座ｇ４が損傷するようなことを防止することができる。
【００７９】
なお、後行傾倒側壁２の下端水平リブ２ｃの裏面には、必要に応じて、嵌合突起２ｉを垂設することができる。このように、後行傾倒側壁２の下端水平リブ２ｃの裏面に垂設された嵌合突起２ｉは、ボックスパレットＢｐが箱型に組み立てられた際には、額縁状土手部材３ｂのもう一方の相対する土手部３ｂ”の水平天板３ｂ２に立設された垂直壁部材８の上端水平リブ８ｂに形成された嵌合窪み部８ｂ１に嵌合されるように構成されている。
【図面の簡単な説明】
【００８０】
【図１】図１は、箱型に組み立てられた状態の本発明のボックスパレットの斜視図である。
【図２】図２は、折り畳まれた状態の本発明のボックスパレットの斜視図である。
【図３】図３は、本発明のボックスパレットを構成するパレット部の斜視図である。
【図４】図４は、本発明のボックスパレットを構成するパレット部の部分拡大斜視図である。
【図５】図５は、同じく、本発明のボックスパレットを構成するパレット部の部分拡大斜視図である。
【図６】図６は、同じく、本発明のボックスパレットを構成するパレット部の一部断面を含む部分拡大斜視図である。
【図７】図７は、同じく、本発明のボックスパレットを構成するパレット部の部分拡大斜視図である。
【図８】図８は、同じく、本発明のボックスパレットを構成するパレット部の部分拡大斜視図である。
【図９】図９は、箱型に組み立てられた状態の本発明のボックスパレットの先行傾倒側壁に沿った部分垂直側断面図である。
【図１０】図１０は、箱型に組み立てられた状態の本発明のボックスパレットの後行傾倒側壁に沿った部分垂直側断面図である。
【図１１】図１１は、本発明のボックスパレットを構成するパレット部の部分拡大斜視図である。
【図１２】図１２は、本発明のボックスパレットを構成する先行傾倒側壁の斜視図である。
【図１３】図１３は、本発明のボックスパレットを構成する先行傾倒側壁の部分斜視図である。
【図１４】図１４は、同じく、本発明のボックスパレットを構成する先行傾倒側壁の部分斜視図である。
【図１５】図１５は、本発明のボックスパレットを構成する先行傾倒側壁に形成された配設空間付近の部分拡大斜視図である。
【図１６】図１６は、図１５の配設空間の略中央部における水平断面図である。
【図１７】図１７は、図１４の配設空間の裏面側から見た先行傾倒側壁の部分拡大斜視図である。
【図１８】図１８は、本発明のボックスパレットを構成する後行傾倒側壁の斜視図である。
【図１９】図１９は、本発明のボックスパレットを構成する後行傾倒側壁の部分斜視図である。
【図２０】図２０は、同じく、本発明のボックスパレットを構成する後行傾倒側壁の部分斜視図である。
【図２１】図２１は、本発明のボックスパレットを構成するロック部材の斜視図である。
【図２２】図２２は、同じく、本発明のボックスパレットを構成するロック部材の斜視図である。
【図２３】図２３は、本発明のボックスパレットを構成する衝合部材の斜視図である。
【図２４】図２４は、同じく、本発明のボックスパレットを構成する衝合部材の斜視図である。
【図２５】図２５は、本発明のボックスパレットを構成する先行傾倒側壁と衝合部材の分解斜視図である。
【図２６】図２６は、先行傾倒側壁に形成された配設空間内の嵌合凹部に、衝合部材が取り付けられた状態の一部断面を含む部分拡大斜視図である。
【図２７】図２７は、先行傾倒側壁に形成された配設空間内の嵌合凹部に、衝合部材が取り付けられた状態の部分拡大斜視図である。
【図２８】図２８は、図２７の配設空間の略中央部における水平断面図である。
【図２９】図２９は、本発明のボックスパレットを構成する先行傾倒側壁とロック部材の分解斜視図である。
【図３０】図３０は、先行傾倒側壁に形成された配設空間内に、ロック部材が取り付けられた状態の部分拡大斜視図である。
【図３１】図３１は、図３０の配設空間の略中央部における水平断面図である。
【図３２】図３２は、図３１と同様の配設空間の略中央部における水平断面図である。
【図３３】図３３は、先行傾倒側壁に形成された配設空間内に、ロック部材が取り付けられた状態の部分拡大斜視図である。
【図３４】図３４は、図３２と同様の配設空間の略中央部における水平断面図である。
【図３５】図３５は、本発明のボックスパレットを構成する先行傾倒側壁と後行傾倒側壁の分解部分斜視図である。
【図３６】図３６は、本発明のボックスパレットを構成する先行傾倒側壁と後行傾倒側壁とが略垂直に立てられた状態の部分斜視図である。
【図３７】図３７は、本発明のボックスパレットを構成する先行傾倒側壁と額縁状土手部材の先行傾倒側壁用土手部とがヒンジ連結された状態の一部断面を含む部分斜視図である。
【図３８】図３８は、本発明のボックスパレットに被蓋される蓋部材の斜視図である。
【図３９】図３９は、図３８に示されている蓋部材の部分拡大斜視図である。
【符号の説明】
【００８１】
Ａ・・・・・・・・・・・・配設空間
Ｂｐ・・・・・・・・・・・ボックスパレット
Ｂ・・・・・・・・・・・・ボックス部
Ｃ１、Ｃ２・・・・・・・・嵌合凹部
Ｅ・・・・・・・・・・・・衝合部材
ｅ２・・・・・・・・・・・上部盲ブロック
ｅ３・・・・・・・・・・・下部盲ブロック
ｅ６・・・・・・・・・・・当接弾性舌片
Ｈ１、Ｈ２・・・・・・・・雌ヒンジ用凹部
Ｈ１’、Ｈ２’・・・・・・雄ヒンジ部材
Ｐ・・・・・・・・・・・・パレット部
Ｕ・・・・・・・・・・・・ロック部材
ｕ１・・・・・・・・・・・角筒部
ｕ２・・・・・・・・・・・ロック部
ｕ４・・・・・・・・・・・係止弾性舌片
Ｖ１、Ｖ２・・・・・・・・嵌合ブロック
１・・・・・・・・・・・・先行傾倒側壁
１ｍ・・・・・・・・・・・嵌合凹部
１ｎ・・・・・・・・・・・上部嵌合孔
１ｐ・・・・・・・・・・・下部嵌合孔
２・・・・・・・・・・・・後行傾倒側壁
３・・・・・・・・・・・・上部デッキ
４・・・・・・・・・・・・下部デッキ
５・・・・・・・・・・・・隅桁
６・・・・・・・・・・・・中間桁
７・・・・・・・・・・・・フォーク差し込み口
【図１】
2008114911.tif 000003
【図２】
2008114911.tif 000004
【図３】
2008114911.tif 000005
【図４】
2008114911.tif 000006
【図５】
2008114911.tif 000007
【図６】
2008114911.tif 000008
【図７】
2008114911.tif 000009
【図８】
2008114911.tif 000010
【図９】
2008114911.tif 000011
【図１０】
2008114911.tif 000012
【図１１】
2008114911.tif 000013
【図１２】
2008114911.tif 000014
【図１３】
2008114911.tif 000015
【図１４】
2008114911.tif 000016
【図１５】
2008114911.tif 000017
【図１６】
2008114911.tif 000018
【図１７】
2008114911.tif 000019
【図１８】
2008114911.tif 000020
【図１９】
2008114911.tif 000021
【図２０】
2008114911.tif 000022
【図２１】
2008114911.tif 000023
【図２２】
2008114911.tif 000024
【図２３】
2008114911.tif 000025
【図２４】
2008114911.tif 000026
【図２５】
2008114911.tif 000027
【図２６】
2008114911.tif 000028
【図２７】
2008114911.tif 000029
【図２８】
2008114911.tif 000030
【図２９】
2008114911.tif 000031
【図３０】
2008114911.tif 000032
【図３１】
2008114911.tif 000033
【図３２】
2008114911.tif 000034
【図３３】
2008114911.tif 000035
【図３４】
2008114911.tif 000036
【図３５】
2008114911.tif 000037
【図３６】
2008114911.tif 000038
【図３７】
2008114911.tif 000039
【図３８】
2008114911.tif 000040
【図３９】
2008114911.tif 000041